【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
複数の制御対象を含む硫黄化学発光検出器と、
表示部と、
前記表示部を制御する表示制御装置とを備え、
前記表示制御装置は、
前記複数の制御対象に対応する複数の状態画像を作動順序で並べて前記表示部に表示させるとともに、前記複数の制御対象に対応する複数の操作画像を操作可能に前記表示部に表示させる表示制御部と、
自動起動処理の開始の操作および自動停止処理の開始の操作を受け付ける操作受付部とを含み、
前記表示制御部は、前記操作受付部により前記自動起動処理の開始の操作が受け付けられると、前記複数の制御対象の作動順序を示す第１の方向画像を前記表示部に表示させ、前記硫黄化学発光検出器からの指令に基づいて、作動状態になった制御対象に対応する状態画像を順次第１の態様に変化させ、前記複数の操作画像の各々を操作可能な第１の状態または操作不可能な第２の状態に変化させ、前記操作受付部により前記自動停止処理の開始の操作が受け付けられると、前記複数の制御対象の停止順序を示す第２の方向画像を前記第１の方向画像とは逆向きに前記表示部に表示させ、前記硫黄化学発光検出器からの指令に基づいて、停止状態になった制御対象に対応する状態画像を順次第２の態様に変化させ、前記複数の操作画像の各々を前記第１の状態または前記第２の状態に変化させる、分析システム。
【請求項２】
前記操作受付部は、前記自動起動処理の中断の操作および各操作画像への操作を受け付けるように構成され、前記複数の操作画像のうち前記第１の状態にある操作画像への操作を受け付けるように構成され、
前記表示制御部は、前記自動起動処理の中断の操作が受け付けられると、前記複数の状態画像の表示態様および前記複数の操作画像の表示状態を保持した後、前記硫黄化学発光検出器からの指令に基づいて、前記第１の状態にある操作画像のうち操作された操作画像の表示状態を変化させるとともに関連する状態画像の表示態様を変化させる、請求項１記載の分析システム。
【請求項３】
前記操作受付部は、前記自動停止処理の中断の操作および各操作画像への操作を受け付けるように構成され、前記複数の操作画像のうち前記第１の状態にある操作画像への操作を受け付けるように構成され、
前記表示制御部は、前記自動停止処理の中断の操作が受け付けられると、前記複数の状態画像の表示態様および前記複数の操作画像の表示状態を保持した後、前記硫黄化学発光検出器からの指令に基づいて、前記第１の状態にある操作画像のうち操作された操作画像の表示状態を変化させるとともに関連する状態画像の表示態様を変化させる、請求項１または２記載の分析システム。
【請求項４】
前記表示制御部は、前記第１の状態にある操作画像が操作された場合に、当該操作画像が操作されたことを示す操作信号を前記硫黄化学発光検出器に送信し、前記第２の状態にある操作画像が操作された場合に前記操作信号を前記硫黄化学発光検出器に送信しない、請求項１〜３のいずれかに記載の分析システム。
【請求項５】
前記表示制御部は、前記自動起動処理の完了後に前記第１の方向画像を消去し、前記自動停止処理の完了後に前記第２の方向画像を消去する、請求項１〜４のいずれかに記載の分析システム。
【請求項６】
前記硫黄化学発光検出器は、
前記複数の状態画像の各々を対応する制御対象の状態に基づいて前記第１の態様または前記第２の態様で表示させる指令を前記表示制御部に送信し、前記複数の制御対象の状態および予め定められた動作条件に基づいて前記複数の操作画像の各々を前記第１の状態または前記第２の状態に変化させる指令を前記表示制御部に送信する検出制御部を含む、請求項１〜５のいずれか一項に記載の分析システム。
【請求項７】
複数の制御対象を含む硫黄化学発光検出器の操作のために表示部を制御する表示制御方法であって、
前記複数の制御対象に対応する複数の状態画像を作動順序で並べて前記表示部に表示させるとともに、前記複数の制御対象に対応する複数の操作画像を操作可能に前記表示部に表示させるステップと、
自動起動処理の開始の操作または自動停止処理の開始の操作または各操作画像への操作を受け付けるステップと、
前記自動起動処理の開始の操作が受け付けられると、前記複数の制御対象の作動順序を示す第１の方向画像を前記表示部に表示させ、前記硫黄化学発光検出器からの指令に基づいて、作動状態になった制御対象に対応する状態画像を順次第１の態様に変化させ、前記複数の操作画像の各々を操作可能な第１の状態または操作不可能な第２の状態に変化させるステップと、
前記自動停止処理の開始の操作が受け付けられると、前記複数の制御対象の停止順序を示す第２の方向画像を前記第１の方向画像とは逆向きに前記表示部に表示させ、前記硫黄化学発光検出器からの指令に基づいて、停止状態になった制御対象に対応する状態画像を順次第２の態様に変化させ、前記複数の操作画像の各々を前記第１の状態または前記第２の状態に変化させるステップとを含む、表示制御方法。
【請求項８】
複数の制御対象を含む硫黄化学発光検出器の操作のために表示部を制御する表示制御プログラムであって、
前記複数の制御対象に対応する複数の状態画像を作動順序で並べて前記表示部に表示させるとともに、前記複数の制御対象に対応する複数の操作画像を操作可能に前記表示部に表示させるステップと、
自動起動処理の開始の操作または自動停止処理の開始の操作を受け付けるステップと、
前記自動起動処理の開始の操作が受け付けられると、前記複数の制御対象の作動順序を示す第１の方向画像を前記表示部に表示させ、前記硫黄化学発光検出器からの指令に基づいて、作動状態になった制御対象に対応する状態画像を順次第１の態様に変化させ、前記複数の操作画像の各々を操作可能な第１の状態または操作不可能な第２の状態に変化させるステップと、
前記自動停止処理の開始の操作が受け付けられると、前記複数の制御対象の停止順序を示す第２の方向画像を前記第１の方向画像とは逆向きに前記表示部に表示させ、前記硫黄化学発光検出器からの指令に基づいて、停止状態になった制御対象に対応する状態画像を順次第２の態様に変化させ、前記複数の操作画像の各々を前記第１の状態または前記第２の状態に変化させるステップとを、コンピュータに実行させる、表示制御プログラム。
【手続補正２】
【補正対象書類名】明細書
【補正対象項目名】０００７
【補正方法】変更
【補正の内容】
【０００７】
上記の特許文献２に記載されたクロマトグラフデータ処理装置によると、測定に必要な操作および設定項目が一連の流れに沿ってフローチャート方式で表示されるので、作業者は操作手順を容易に理解することができる。しかしながら、メンテナンスまたはトラブルシューティングの際には、通常の起動または停止の操作とは異なる操作を行うこともある。ＳＣＤを備えた分析システムでは、作業者がＳＣＤの動作の仕様を知らない場合には、通常の操作の流れとは異なる手順またはタイミングでの操作が可能か否かを判断することができない。そのため、使用者が誤った手順またはタイミングで各部の操作を行った場合、ＳＣＤに性能低下または故障等の不具合が発生することがある。
【手続補正３】
【補正対象書類名】明細書
【補正対象項目名】０００９
【補正方法】変更
【補正の内容】
【０００９】
（１）本発明の一局面に従う分析システムは、複数の制御対象を含む硫黄化学発光検出器と、表示部と、表示部を制御する表示制御装置とを備え、表示制御装置は、複数の制御対象に対応する複数の状態画像を作動順序で並べて表示部に表示させるとともに、複数の制御対象に対応する複数の操作画像を操作可能に表示部に表示させる表示制御部と、自動起動処理の開始の操作および自動停止処理の開始の操作を受け付ける操作受付部とを含み、表示制御部は、操作受付部により自動起動処理の開始の操作が受け付けられると、複数の制御対象の作動順序を示す第１の方向画像を表示部に表示させ、硫黄化学発光検出器からの指令に基づいて、作動状態になった制御対象に対応する状態画像を順次第１の態様に変化させ、複数の操作画像の各々を操作可能な第１の状態または操作不可能な第２の状態に変化させ、操作受付部により自動停止処理の開始の操作が受け付けられると、複数の制御対象の停止順序を示す第２の方向画像を第１の方向画像とは逆向きに表示部に表示させ、硫黄化学発光検出器からの指令に基づいて、停止状態になった制御対象に対応する状態画像を順次第２の態様に変化させ、複数の操作画像の各々を第１の状態または第２の状態に変化させる。
【手続補正４】
【補正対象書類名】明細書
【補正対象項目名】００１５
【補正方法】変更
【補正の内容】
【００１５】
（３）操作受付部は、自動停止処理の中断の操作および各操作画像への操作を受け付けるように構成され、複数の操作画像のうち第１の状態にある操作画像への操作を受け付けるように構成され、表示制御部は、自動停止処理の中断の操作が受け付けられると、複数の状態画像の表示態様および複数の操作画像の表示状態を保持した後、硫黄化学発光検出器からの指令に基づいて、第１の状態にある操作画像のうち操作された操作画像の表示状態を変化させるとともに関連する状態画像の表示態様を変化させてもよい。
【手続補正５】
【補正対象書類名】明細書
【補正対象項目名】００２３
【補正方法】変更
【補正の内容】
【００２３】
（７）本発明の他の局面に従う表示制御方法は、複数の制御対象を含む硫黄化学発光検出器の操作のために表示部を制御する表示制御方法であって、複数の制御対象に対応する複数の状態画像を作動順序で並べて表示部に表示させるとともに、複数の制御対象に対応する複数の操作画像を操作可能に表示部に表示させるステップと、自動起動処理の開始の操作または自動停止処理の開始の操作または各操作画像への操作を受け付けるステップと、自動起動処理の開始の操作が受け付けられると、複数の制御対象の作動順序を示す第１の方向画像を表示部に表示させ、硫黄化学発光検出器からの指令に基づいて、作動状態になった制御対象に対応する状態画像を順次第１の態様に変化させ、複数の操作画像の各々を操作可能な第１の状態または操作不可能な第２の状態に変化させるステップと、自動停止処理の開始の操作が受け付けられると、複数の制御対象の停止順序を示す第２の方向画像を第１の方向画像とは逆向きに表示部に表示させ、硫黄化学発光検出器からの指令に基づいて、停止状態になった制御対象に対応する状態画像を順次第２の態様に変化させ、複数の操作画像の各々を第１の状態または第２の状態に変化させるステップとを含む。
【手続補正６】
【補正対象書類名】明細書
【補正対象項目名】００２５
【補正方法】変更
【補正の内容】
【００２５】
（８）本発明のさらに他の局面に従う表示制御プログラムは、複数の制御対象を含む硫黄化学発光検出器の操作のために表示部を制御する表示制御プログラムであって、複数の制御対象に対応する複数の状態画像を作動順序で並べて表示部に表示させるとともに、複数の制御対象に対応する複数の操作画像を操作可能に表示部に表示させるステップと、自動起動処理の開始の操作または自動停止処理の開始の操作を受け付けるステップと、自動起動処理の開始の操作が受け付けられると、複数の制御対象の作動順序を示す第１の方向画像を表示部に表示させ、硫黄化学発光検出器からの指令に基づいて、作動状態になった制御対象に対応する状態画像を順次第１の態様に変化させ、複数の操作画像の各々を操作可能な第１の状態または操作不可能な第２の状態に変化させるステップと、自動停止処理の開始の操作が受け付けられると、複数の制御対象の停止順序を示す第２の方向画像を第１の方向画像とは逆向きに表示部に表示させ、硫黄化学発光検出器からの指令に基づいて、停止状態になった制御対象に対応する状態画像を順次第２の態様に変化させ、複数の操作画像の各々を第１の状態または第２の状態に変化させるステップとを、コンピュータに実行させるものである。
【手続補正７】
【補正対象書類名】明細書
【補正対象項目名】００４２
【補正方法】変更
【補正の内容】
【００４２】
状態画像６１は、光検出器２４のオンオフの状態を示し、状態画像６２は、真空ポンプ２７のオンオフの状態を示す。状態画像６３は、電気炉２１へのＮ２の供給状態（流量制御装置Ｆ１のオンオフの状態）を示し、状態画像６４は、オゾン発生器２５へのＯ２の供給および供給停止の状態（流量制御装置Ｆ４のオンオフの状態）を示す。ここで、“Ｏ３”はオゾン発生器２５へのＯ２（酸素）の供給および供給停止状態を意味する。状態画像６５は、電気炉２１へのＯ２の供給および供給停止の状態（流量制御装置Ｆ２のオンオフの状態）を示す。状態画像６６は、電気炉２１のオンオフの状態を示し、状態画像６７は、オゾン発生器２５のオンオフの状態を示す。状態画像６８は、電気炉２１へのＨ２の供給および供給停止の状態（流量制御装置Ｆ３のオンオフの状態）を示す。
【手続補正８】
【補正対象書類名】明細書
【補正対象項目名】００６８
【補正方法】変更
【補正の内容】
【００６８】
“Ｏ２”をオンするための条件は、“Ｎ２”がオンしていることである。“Ｎ２”をオンするための条件は、真空ポンプ２７がオンしていることである。真空ポンプ２７をオンするための条件は、ＳＣＤメインスイッチ９０がオンしていることである。ＳＣＤメインスイッチ９０をオンするための条件は、ガスクロマトグラフ１が起動していることである。
【手続補正９】
【補正対象書類名】明細書
【補正対象項目名】００７４
【補正方法】変更
【補正の内容】
【００７４】
（４）表示制御装置３の機能的な構成
図８は図１の表示制御装置３の機能的な構成を示すブロック図である。図８に示すように、表示制御装置３は、操作受付部３０１、操作判定部３０２および表示制御部３０３を含む。上記の構成要素（３０１〜３０３）の機能は、図１のＣＰＵ３２が記憶装置３５等の記憶媒体（記録媒体）に記憶されたコンピュータプログラムである表示制御プログラムを実行することにより実現される。なお、表示制御装置３の一部または全ての構成要素が電子回路等のハードウエアにより実現されてもよい。
【手続補正１０】
【補正対象書類名】明細書
【補正対象項目名】００８０
【補正方法】変更
【補正の内容】
【００８０】
図９は自動起動処理を示すフローチャートである。ここで、複数の制御対象の数をＮとする。また、複数の制御対象には、オン状態への切り替えの順序に従って１〜Ｎの番号が付される。まず、自動起動処理では、表示制御部３０３は、使用者による操作部３６の操作に基づいて表示部３７に操作画面５０を表示させる（ステップＳ１）。操作判定部３０２は、自動起動ボタン５１が操作されたか否かを判定する（ステップＳ２）。自動起動ボタン５１が操作されていない場合は、操作判定部３０２はステップＳ１に戻る。
【手続補正１１】
【補正対象書類名】明細書
【補正対象項目名】００９３
【補正方法】変更
【補正の内容】
【００９３】
中断処理では、表示制御部３０３は操作画面５０の右向きの矢印ａおよび左向きの矢印ｂを非表示にする（ステップＳ４１）。操作判定部３０２は、任意のｍ番目の操作画像のオン操作が行われたか否かを判定する（ステップＳ４２）。ｍ番目の操作画像のオン操作が行われた場合には、表示制御部３０３は、ｍ番目の操作画像が操作可能な第１の状態（例えば濃い色）であるか否かを判定する（ステップＳ４３）。ｍ番目の操作画像が第１の状態である場合には、表示制御部３０３は、ｍ番目の制御対象に対応するｍ番目のオン操作信号を検出制御部２８に送信する（ステップＳ４４）。検出制御部２８は、ｍ番目のオン操作信号に基づいてｍ番目の制御対象をオンし、ｍ番目の制御対象に対応するｍ番目の作動表示指令を表示制御部３０３に送信する。表示制御部３０３は、検出制御部２８からｍ番目の作動表示指令を受信したか否かを判定する（ステップＳ４５）。ｍ番目の作動表示指令を受信した場合には、表示制御部３０３は、ｍ番目の状態画像を第１の態様（例えば第１の色）に変化させる（ステップＳ４６）。
【手続補正１２】
【補正対象書類名】明細書
【補正対象項目名】００９５
【補正方法】変更
【補正の内容】
【００９５】
ステップＳ４７では、操作判定部３０２は、任意のｍ番目の操作画像のオフ操作が行われたか否かを判定する。ｍ番目の操作画像のオフ操作が行われた場合には、表示制御部３０３は、ｍ番目の操作画像が操作可能な第１の状態（例えば濃い色）であるか否かを判定する（ステップＳ４８）。ｍ番目の操作画像が第１の状態である場合には、表示制御部３０３は、ｍ番目の制御対象に対応するｍ番目のオフ操作信号を検出制御部２８に送信する（ステップＳ４９）。検出制御部２８は、ｍ番目のオフ操作信号に基づいてｍ番目の制御対象をオフし、ｍ番目の制御対象に対応するｍ番目の停止表示指令を表示制御部３０３に送信する。表示制御部３０３は、検出制御部２８からｍ番目の停止表示指令を受信したか否かを判定する（ステップＳ５０）。ｍ番目の停止表示指令を受信した場合には、表示制御部３０３は、ｍ番目の状態画像を第２の態様（例えば第２の色）に変化させる（ステップＳ５１）。
【手続補正１３】
【補正対象書類名】明細書
【補正対象項目名】００９９
【補正方法】変更
【補正の内容】
【００９９】
（６）実施の形態の効果
本実施の形態に係る表示制御装置３によれば、使用者は、操作画面５０上で自動起動ボタン５１、自動起動中断ボタン５２、自動停止ボタン５３および自動停止中断ボタン５４の操作により自動起動処理、自動起動中断処理、自動停止処理および自動停止中断処理を容易に実行させることができる。自動起動処理において、使用者は、状態画像６１〜６８の並びおよび右向きの矢印ａの表示により制御対象の作動順序を視覚的に容易に把握することができる。同様に、自動停止処理において、使用者は、状態画像６１〜６８の並びおよび左向きの矢印ｂの表示により制御対象の停止順序を視覚的に容易に把握することができる。
【手続補正１４】
【補正対象書類名】明細書
【補正対象項目名】０１０４
【補正方法】変更
【補正の内容】
【０１０４】
（７）他の実施の形態
上記実施の形態では、状態画像６１〜６８の第１および第２の態様が異なる色であるが、第１および第２の態様はこれに限定されない。例えば、第１および第２の態様が連続的な点灯および点滅がであってもよく、第１および第２の態様が異なる輝度（明るさ）であってもよく、第１および第２の態様が異なる形状であってもよい。あるいは、第１および第２の態様が特定の文字の有無または異なる文字の表示であってもよい。
【手続補正１５】
【補正対象書類名】明細書
【補正対象項目名】０１０５
【補正方法】変更
【補正の内容】
【０１０５】
上記実施の形態では、操作画像７１〜７８の第１および第２の状態が色の異なる濃度であるが、第１および第２の状態はこれに限定されない。例えば、第１および第２の状態が異なる色であってもよく、第１および第２の状態が連続的な点灯および点滅がであってもよく、第１および第２の状態が異なる輝度（明るさ）であってもよく、第１および第２の態様が異なる形状であってもよい。あるいは、第１および第２の状態が特定の文字の有無または異なる文字の表示であってもよい。